(57)【要約】【課題】夏期の太陽光によるデッキ材の温度の上昇を抑制し、火傷やデッキ材の変形を効果的に防止できるデッキ材、デッキ材の冷却方法およびこのデッキ材を用いた床を提供すること。【解決手段】天板部と、天板部の下方に外部に開放された空間を確保するように天板部を支持する脚部とを有する合成樹脂製のデッキ材本体と、前記空間に露出するように配置される冷却フィンとを備えるようにした。【選択図】図２
2009114803.tif 000002
【特許請求の範囲】
【請求項１】
天板部と、天板部の下方に外部に開放された空間を確保するように天板部を支持する脚部とを有する合成樹脂製のデッキ材本体と、前記空間に露出するように配置される冷却フィンとを備えていることを特徴とするデッキ材。
【請求項２】
デッキ材本体が、長尺の天板部と、天板部の下方に所定間隔をあけて対向配置される底板部と、天板部と底板部とを連結する複数の板状の脚部とを備え、天板部と底板部と隣接する脚部とにより、長さ方向両端が開口した中空部が形成されており、冷却フィンが、デッキ材本体の内面に、天板部の長さ方向に連続し、かつ、天板部の幅方向に所定間隔をあけて複数設けられていることを特徴とする請求項１記載のデッキ材。
【請求項３】
請求項１または２記載のデッキ材における天板部の下方の空間に、強制的に外気を送り込むことを特徴とするデッキ材の冷却方法。
【請求項４】
請求項１または２記載のデッキ材が敷設されるとともに、前記デッキ材の下方に、前記デッキ材における天板部の下方の空間に、強制的に外気を送り込む送風ファンが設置されていることを特徴とする床。
【請求項５】
送風ファンに給電する太陽電池を備えていることを特徴とする請求項４記載の床。
【発明の詳細な説明】
【技術分野】
【０００１】
本発明は、住宅のベランダやテラス等の床板となるデッキ材に関するものである。
【背景技術】
【０００２】
従来、この種のデッキ材としては、例えば、硬質塩化ビニル樹脂などの熱可塑性樹脂を押出成形したもので、長尺の天板部と、天板部の下方に所定間隔をあけて対向配置される底板部と、天板部と底板部とを連結する複数の板状の脚部とを備え、天板部と底板部と隣接する脚部とにより、長さ方向両端が開口した中空部が形成されているものが提案されている（例えば、特許文献１参照）。
【０００３】
しかしながら、上記のデッキ材は、夏期になると、強い太陽光の照射によって、天板部の表面温度が上昇し、天板部に直接触れると火傷をする恐れがある上、樹脂の熱伸長により、デッキ材が変形してしまう恐れがある。
【特許文献１】特開平８−４２１１５号公報
【発明の開示】
【発明が解決しようとする課題】
【０００４】
本発明は、上記問題点に鑑みてなされたものであって、夏期の太陽光によるデッキ材の温度の上昇を抑制し、火傷やデッキ材の変形を効果的に防止できるデッキ材、デッキ材の冷却方法およびこのデッキ材を用いた床を提供することにある。
【課題を解決するための手段】
【０００５】
上記課題を解決するために、請求項１記載の発明にかかるデッキ材は、天板部と、天板部の下方に外部に開放された空間を確保するように天板部を支持する脚部とを有する合成樹脂製のデッキ材本体と、前記空間に露出するように配置される冷却フィンとを備えていることを特徴とする。
【０００６】
請求項２記載の発明は、請求項１記載の発明において、デッキ材本体が、長尺の天板部と、天板部の下方に所定間隔をあけて対向配置される底板部と、天板部と底板部とを連結する複数の板状の脚部とを備え、天板部と底板部と隣接する脚部とにより、長さ方向両端が開口した中空部が形成されており、冷却フィンが、デッキ材本体の内面に、床板の長さ方向に連続し、かつ、床板の幅方向に所定間隔をあけて複数設けられていることを特徴とする。
【０００７】
請求項３記載の発明にかかるデッキ材冷却方法は、請求項１または２記載のデッキ材における天板部の下方の空間に、強制的に外気を送り込むことを特徴とする。
【０００８】
請求項４記載の発明にかかる床は、請求項１または２記載のデッキ材が敷設されるとともに、前記デッキ材の下方に、前記デッキ材における天板部の下方の空間に、強制的に外気を送り込む送風ファンが設置されていることを特徴とする。
【０００９】
請求項５記載の発明は、請求項４記載の発明において、送風ファンに給電する太陽電池を備えていることを特徴とする。
【発明の効果】
【００１０】
請求項１記載の発明にかかるデッキ材は、天板部と、天板部の下方に外部に開放された空間を確保するように天板部を支持する脚部とを有する合成樹脂製のデッキ材本体と、前記空間に露出するように配置される冷却フィンとを備えているので、冷却フィンによる天板部の下方空間への放熱作用によって、天板部の温度上昇を抑制することができ、火傷やデッキ材の変形を効果的に防止できる。
【００１１】
請求項２記載の発明は、デッキ材本体が、長尺の天板部と、天板部の下方に所定間隔をあけて対向配置される底板部と、天板部と底板部とを連結する複数の板状の脚部とを備え、天板部と底板部と隣接する脚部とにより、長さ方向両端が開口した中空部が形成されており、冷却フィンが、デッキ材本体の内面に、床板の長さ方向に連続し、かつ、床板の幅方向に所定間隔をあけて複数設けられているので、より一層効果的に、天板部の温度上昇を抑制することができる。
【００１２】
請求項３記載の発明にかかるデッキ材の冷却方法は、請求項１または２記載のデッキ材における天板部の下方の空間に、強制的に外気を送り込むので、冷却フィンの放熱作用を促し、天板部の温度上昇を効果的に抑制することができる。
【００１３】
請求項４記載の発明にかかる床は、請求項１または２記載のデッキ材が敷設されるとともに、前記デッキ材の下方に、前記デッキ材における天板部の下方の空間に、強制的に外気を送り込む送風ファンが設置されているので、送風ファンに日光が直接当たらず、送風ファンの温度上昇を防止できる。その結果、デッキ材に送り込まれる空気の温度上昇を効果的に抑制することができる。
【００１４】
請求項５記載の発明は、請求項４記載の発明において、送風ファンに給電する太陽電池を備えているので、太陽光エネルギーを効率よく利用でき、地球環境への負担が少ない上、ランニングコストを抑制できる。
【発明を実施するための最良の形態】
【００１５】
以下、本発明にかかる床の一実施形態について、図面に基づいて詳細に説明する。
本実施形態の床１は、図１から図３に示すように、建物のベランダにおいて、建物の壁面Ｒに隣接して配置される中空状のデッキ材２と、デッキ材２に強制的に外気を送り込む送風ファン３と、送風ファンに給電するパネル状の太陽電池４とを備えている。
【００１６】
デッキ材２は、合成樹脂を押出成形したもので、長さ方向両端が開口した中空状のデッキ材本体５と、デッキ材本体５の内面に配置される冷却フィン６とから構成されている。
デッキ材本体５は、平面視長方形状の天板部７と、天板部７の下方に所定間隔をあけて対向配置される底板部８と、天板部７と底板部８とを連結する複数の板状の脚部９とを備えている。そして、デッキ材本体５の内部には、天板部７と底板部８と隣接する脚部９、９とにより、長さ方向両端が開口した中空部１０が形成されている。中空部１０は、図４に示すように、デッキ材２の縦断面において、幅Ｗ１＝３０〜５０ｍｍ、高さＨ１＝２０〜３５ｍｍの範囲で形成されている。
【００１７】
冷却フィン６は、図４に示すように、天板部７と底板部８の内面にそれぞれ、幅Ｗ２＝１．５〜２ｍｍ、高さＨ２＝３〜５ｍｍ、隣接する冷却フィン６，６の間隔Ｌ＝１．５〜２ｍｍの範囲で、天板部７の長さ方向に連続して設けられている。
【００１８】
デッキ材２の長さ方向一端部は、図２に示すように、中空状の入り口側入り口側コーナー根太１１に支持されている。入り口側コーナー根太１１は、デッキ材２の長さ方向一端部が取り付けられるデッキ材取り付け開口部１２と、送風ファン３が取り付けられる送風ファン取り付け開口部１３とを備えており、送風ファン３は、入り口側コーナー根太１１の下方に配置されている。また、送風ファン取り付け開口部１３には、外部からゴミや虫などが入り込まないように、フィルター１４が取り付けられている。
【００１９】
デッキ材２の長さ方向他端部は、デッキ材２の長さ方向一端部と同様に、中空状の出口側コーナー根太１５に支持されている。出口側コーナー根太１５は、図２に示すように、デッキ材２の長さ方向他端部が取り付けられるデッキ材取り付け開口部１６と、外部に連通する開放窓１７とを備えている。開放窓１７には、外部からゴミや虫などが入り込まないように、フィルター１８が取り付けられている。
太陽電池４は、建物の壁面Ｒに取り付けられており、送風ファン３と電気的に接続されている。
【００２０】
すなわち、太陽電池４から送風ファン３に給電されると、送風ファン３が作動して、送風ファン３が取り付けられている中空状の入り口側コーナー根太１１を介して、デッキ材２の一端開口部からデッキ材２の中空部１０に、強制的に外気が送り込まれる。デッキ材２の中空部１０に送り込まれた外気は、多数の冷却フィン６の間を通過しながら、冷却フィン６と熱交換を行い、冷却フィン６の温度を下降させ、その結果、天板部７の温度を下げる作用をする。
一方、デッキ材２に送り込まれた外気は、流入時の温度よりも高温の空気となって、中空状の出口側コーナー根太１５を介して、デッキ材２の長さ方向他端開口部から排出される。
【００２１】
以上詳述したように、本実施形態の床１によれば、デッキ材本体５に、長さ方向両端が開口する中空部１０を形成し、天板部７と底板部８の内面に、天板部７の長さ方向に連続する冷却フィン６を、天板部７の幅方向に所定間隔をあけて多数設け、デッキ材２の長さ方向一端開口部から、送風ファン３により強制的に外気を送り込み、デッキ材２の長さ方向他端部から排出するようにしたので、夏期の太陽光によるデッキ材２の天板部７の温度の上昇を抑制し、火傷やデッキ材の変形を効果的に防止できる。
また、送風ファン３が、デッキ材２の下方に配置されているので、送風ファン３に直射日光が当たるのを回避でき、送風ファン３の温度上昇を抑制できる。その結果、デッキ材に送り込まれる空気の温度上昇を効果的に抑制することができる。
さらに、送風ファン３に給電する太陽電池４が設けられているので、太陽光エネルギーを効率よく利用でき、地球環境への負担が少ない上、ランニングコストを抑制できる。
【００２２】
なお、本発明は、上記実施形態に限られるものではなく、デッキ材本体は、天板部と、天板部を支持する脚部とを有し、天板部の下方に外部に開放された空間が確保されていればよく、例えば、断面コ字状であってもよい。
【００２３】
また、冷却フィン６は、デッキ材本体部５と一体形成したものに限られず、デッキ材本体部５を成形後に、デッキ材本体部５の内面に接着しても構わない。また、冷却フィン６の材質は、合成樹脂に限られず、例えば、真鍮、銅、アルミニウム等の金属であっても構わない。
また、冷却フィン６の幅Ｗ２、高さＨ２、隣り合う冷却フィン６，６の間隔Ｌ、および設ける個数は、上記実施形態に限定されるものではなく、適宜設計変更して構わない。
また、冷却フィン６は、天板部７の内面だけに設けられていても構わない。
【００２４】
さらに、送風ファン３への給電手段は、太陽電池４でなくてもよく、例えば、室内の商用電源から給電するようにしても構わない。
【００２５】
また、送風ファン３は必ずしも必要ではなく、デッキ材本体５の中空部１０に、外気を自然に通過させるだけでもよい。
【００２６】
さらに、本発明の床の施工場所は、デッキ材２を施工可能な場所であれば特に限定されるものではなく、例えば、屋上、テラス、バルコニーなどでも構わない。
【図面の簡単な説明】
【００２７】
【図１】本発明にかかる一実施形態の床１の平面図。
【図２】図１におけるＡ−Ａ線断面図。
【図３】図２におけるＢ−Ｂ線断面図。
【図４】デッキ材２の一部を拡大して示す縦断面図。
【符号の説明】
【００２８】
１    床
２    デッキ材
３    送風ファン
４    太陽電池
５    デッキ材本体部
６    冷却フィン
７    天板部
８    底板部
９    脚部
１０  中空部
【図１】
2009114803.tif 000003
【図２】
2009114803.tif 000004
【図３】
2009114803.tif 000005
【図４】
2009114803.tif 000006